(57)【要約】  グラフィックディスプレイ装置は、第１主要面および第２主要面を有し、グラフィックディスプレイ装置が透過モードの場合に光を透過し、グラフィックディスプレイ装置が反射モードの場合に光を反射する基板と、基板の第１主要面に位置する反射層と、第２主要面に位置する着色層と、基板との間で着色層を挟持するように、着色層上に配置される画像を備える散光層と、散光層との間で画像を挟持するように、散光層近傍に配置される光源とを備え、透過モードでは、光源は画像を照らすことで、基板の第１主要面から画像を視認可能とし、反射モードでは、画像は光源に照らされず、基板の第１主要面から画像を視認不可能となる。【選択図】図５
2019512744.tif 000002
【特許請求の範囲】
【請求項１】
グラフィックディスプレイ装置であって、
第１主要面および第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記第２主要面に位置する着色層と、
前記基板との間で前記着色層を挟持するように、前記着色層に接して位置する、画像を備えた散光層と、
前記散光層との間で前記画像を挟持するように、前記散光層近傍に配置される光源とを備えるグラフィックディスプレイ装置であって、
前記透過モードでは、前記基板の前記第１主要面から前記画像を視認可能であるように、前記光源は前記画像を照らし、
前記反射モードでは、前記画像は前記光源に照らされず、前記基板の前記第１主要面から前記画像を視認不可能とすることを特徴とするグラフィックディスプレイ装置。
【請求項２】
請求項１に記載のグラフィックディスプレイ装置において、
前記着色層は、前記グラフィックディスプレイ装置が前記反射モードの場合は、前記画像を視認不可能とすることを特徴とするグラフィックディスプレイ装置。
【請求項３】
請求項２に記載のグラフィックディスプレイ装置において、
前記着色層は、前記基板を約２０パーセント暗くすることを特徴とするグラフィックディスプレイ装置。
【請求項４】
請求項１に記載のグラフィックディスプレイ装置において、
前記基板近傍の状況を検出するセンサー装置をさらに備えることを特徴とするグラフィックディスプレイ装置。
【請求項５】
請求項４に記載のグラフィックディスプレイ装置において、
前記状況は、前記基板近傍の動きであり、前記動きを検出すると、前記グラフィックディスプレイ装置は、前記透過モードから前記反射モードへ切り替えられることを特徴とするグラフィックディスプレイ装置。
【請求項６】
請求項１に記載のグラフィックディスプレイ装置において、
前記光源は、発光ダイオード（ＬＥＤ）、エレクトロルミネッセントパネル（ＥＬＰ）、冷陰極蛍光管（ＣＣＦＬ）、熱陰極蛍光管（ＨＣＦＬ）、外部蛍光管（ＥＥＦＬ）、および白熱電球のいずれかであることを特徴とするグラフィックディスプレイ装置。
【請求項７】
請求項１に記載のグラフィックディスプレイ装置において、
前記基板は、ガラス、アクリルおよびポリカーボネートのいずれかで形成されることを特徴とするグラフィックディスプレイ装置。
【請求項８】
グラフィックディスプレイ装置であって、
第１主要面および第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記基板の前記第２主要面に位置し、前記グラフィックディスプレイ装置が前記透過モードの場合は透明であり、前記グラフィックディスプレイ装置が前記反射モードの場合は不透明である導電性部材と、
前記基板との間で前記導電性部材を挟持するように、前記導電性部材上に配置される画像と、
前記画像近傍に配置され、前記透過モードにおいて前記画像を照らす光源と、
少なくとも前記導電性部材に電圧を印加する電源とを備えるグラフィックディスプレイ装置であって、
前記透過モードにおいて、前記基板の前記第１主要面から前記画像が視認可能であるように、前記光源は前記画像を照らし、前記電源は前記導電性部材に電圧を印加して、前記導電性部材を透明にし、
前記反射モードにおいて、前記導電性部材が不透明となり、かつ、前記基板の前記第１主要面から前記画像を視認不可能であるように、前記電源は前記導電性部材に電圧を印加することを特徴とするグラフィックディスプレイ装置。
【請求項９】
請求項８に記載のグラフィックディスプレイ装置において、
前記基板近傍の状況を検出するセンサー装置をさらに備えることを特徴とするグラフィックディスプレイ装置。
【請求項１０】
請求項９に記載のグラフィックディスプレイ装置において、
前記状況は、前記基板近傍の動きであり、前記動きを検出すると、前記グラフィックディスプレイ装置は、前記透過モードから前記反射モードへ切り替えられることを特徴とするグラフィックディスプレイ装置。
【請求項１１】
請求項８に記載のグラフィックディスプレイ装置において、
前記光源は、発光ダイオード（ＬＥＤ）、エレクトロルミネッセントパネル（ＥＬＰ）、冷陰極蛍光管（ＣＣＦＬ）、熱陰極蛍光管（ＨＣＦＬ）、外部蛍光管（ＥＥＦＬ）、および白熱電球のいずれかであることを特徴とするグラフィックディスプレイ装置。
【請求項１２】
請求項８に記載のグラフィックディスプレイ装置において、
前記基板は、ガラス、アクリルおよびポリカーボネートのいずれかで形成されることを特徴とするグラフィックディスプレイ装置。
【請求項１３】
グラフィックディスプレイ装置であって、
第１主要面および第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記基板の前記第２主要面に位置する電気泳動層であって、前記グラフィックディスプレイ装置が前記透過モードの場合は画像を表示可能にし、かつ、前記グラフィックディスプレイ装置が前記反射モードの場合は前記電気泳動層を不透明とする複数の粒子を含む電気泳動層と、
前記電気泳動層近傍に配置され、前記グラフィックディスプレイ装置が前記透過モードの場合は前記画像を照らす光源とを備えるグラフィックディスプレイ装置であって、
前記グラフィックディスプレイ装置が前記透過モードの場合、前記光源は、前記電気泳動層により生成された前記画像を照らし、
前記グラフィックディスプレイ装置が前記反射モードの場合、前記電気泳動層は不透明となって、前記反射層により反射された画像のみが、前記第１主要面で視認可能となることを特徴とするグラフィックディスプレイ装置。
【請求項１４】
請求項１３に記載のグラフィックディスプレイ装置において、
前記基板近傍の状況を検出するセンサー装置をさらに備えることを特徴とするグラフィックディスプレイ装置。
【請求項１５】
請求項１４に記載のグラフィックディスプレイ装置において、
前記状況は、前記基板近傍の動きであり、前記動きを検出すると、前記グラフィックディスプレイ装置は、前記透過モードから前記反射モードへ切り替えられることを特徴とするグラフィックディスプレイ装置。
【請求項１６】
請求項１３に記載のグラフィックディスプレイ装置において、
前記光源は、発光ダイオード（ＬＥＤ）、エレクトロルミネッセントパネル（ＥＬＰ）、冷陰極蛍光管（ＣＣＦＬ）、熱陰極蛍光管（ＨＣＦＬ）、外部蛍光管（ＥＥＦＬ）、および白熱電球のいずれかであることを特徴とするグラフィックディスプレイ装置。
【請求項１７】
請求項１３に記載のグラフィックディスプレイ装置において、
前記基板は、ガラス、アクリルおよびポリカーボネートのいずれかで形成されることを特徴とするグラフィックディスプレイ装置。
【請求項１８】
請求項１３に記載のグラフィックディスプレイ装置において、
前記複数の粒子が、複数のマイクロカプセル中に存在することを特徴とするグラフィックディスプレイ装置。
【請求項１９】
請求項１３に記載のグラフィックディスプレイ装置において、
前記電気泳動層は、一対の電極を備え、前記電極は、電圧が印加されると、前記複数の粒子を引きつける、または、退けることを特徴とするグラフィックディスプレイ装置。
【請求項２０】
請求項１９に記載のグラフィックディスプレイ装置において、
前記複数の粒子が、白色粒子および着色粒子を含むことを特徴とするグラフィックディスプレイ装置。
【発明の詳細な説明】
【技術分野】
【０００１】
関連出願の相互参照
本願は、２０１７年３月２１日に出願されたアメリカ特許出願番号第１５／４６４，８８４の優先権を主張すると共に、２０１６年３月２２日に出願されたアメリカ仮出願番号第６２／３１１，５６３の利益を主張する。上記各出願の開示事項は全て、本明細書内に援用される。
【０００２】
本願開示は、第一状態で画像を反射し、第二状態で画像を透過するマジックミラーに関する。
【背景技術】
【０００３】
本セクションは、本願開示に関連する背景情報を提供するが、これは必ずしも先行技術にはあたらない。
【０００４】
近年、ハーフミラー（透明ミラーまたはマジックミラーとも呼ばれる）を用いた広告が開発されている。ハーフミラーは、その前側または後側が少なくとも部分的に反射材料で塗布される透明材料（例えば、ガラス、アクリル、ポリカーボネート等）であって、その後側の近傍に画像を備える。ハーフミラーは、従来の全反射ミラーとして機能するように、ハーフミラーの後ろに光がない場合は周囲の光を反射する。反対に、光源からの光が、ハーフミラーの後ろに配置される画像を照らすと、画像は、ハーフミラーを透過し、ハーフミラーの前側で視認される。とはいえ、ハーフミラーにおいて、照らされた場合は画像が鮮やかに表示され、照らされない場合は完全に消えることを可能にするような、理想的な量の透明度および反射度を作り出すことにおいて、依然として課題は残る。
【発明の概要】
【０００５】
本セクションは、本願開示の概要を提示するものであり、その範囲全体又はその全ての特徴を包括的に開示するものではない。
【０００６】
本願開示によれば、グラフィックディスプレイ装置は、第１主要面および第２主要面を有し、前記グラフィックディスプレイ装置が透過モードの場合に光を透過し、前記グラフィックディスプレイ装置が反射モードの場合に光を反射する基板と、前記基板の前記第１主要面に位置する反射層と、前記第２主要面に位置する着色層と、前記基板との間で前記着色層を挟持するように、前記着色層に接して位置する、画像を備えた散光層と、前記散光層との間で前記画像を挟持するように、前記散光層近傍に配置される光源とを備え、前記透過モードでは、前記光源は前記画像を照らすことで、前記基板の前記第１主要面から前記画像を視認可能とし、前記反射モードでは、前記画像は前記光源に照らされず、前記基板の前記第１主要面から前記画像を視認不可能となる、ことを特徴とする。
【０００７】
本願開示によれば、また、グラフィックディスプレイ装置は、第１主要面および第２主要面を有し、前記グラフィックディスプレイ装置が透過モードの場合に光を透過し、前記グラフィックディスプレイ装置が反射モードの場合に光を反射する基板と、前記基板の前記第１主要面に位置する反射層と、前記基板の前記第２主要面に位置し、前記グラフィックディスプレイ装置が前記透過モードの場合は透明であり、前記グラフィックディスプレイ装置が前記反射モードの場合は不透明である導電性部材と、前記基板との間で前記導電性部材を挟持するように、前記導電性部材上に配置される画像と、前記画像近傍に配置され、前記透過モードにおいて前記画像を照らす光源と、少なくとも前記導電性部材に電圧を印加する電源とを備え、前記透過モードにおいて、前記基板の前記第１主要面から前記画像が視認可能であるように、前記光源は前記画像を照らし、前記電源は前記導電性部材に電圧を印加して、前記導電性部材を透明にし、前記反射モードにおいて、前記導電性部材が不透明となり、かつ、前記基板の前記第１主要面から前記画像を視認不可能であるように、前記電源は前記導電性部材に電圧を印加する、ことを特徴とする。
【０００８】
最後に、本願開示によれば、第１主要面および第２主要面を有し、前記グラフィックディスプレイ装置が透過モードの場合に光を透過し、前記グラフィックディスプレイ装置が反射モードの場合に光を反射する基板と、前記基板の前記第１主要面に位置する反射層と、前記基板の前記第２主要面に位置する電気泳動層であって、前記グラフィックディスプレイ装置が前記透過モードの場合は画像を表示可能にし、かつ、前記グラフィックディスプレイ装置が前記反射モードの場合は前記電気泳動層を不透明とする複数の粒子を含む前記電気泳動層と、前記電気泳動層近傍に配置され、前記グラフィックディスプレイ装置が前記透過モードの場合は前記画像を照らす光源とを備え、前記グラフィックディスプレイ装置が前記透過モードの場合、前記光源は、前記電気泳動層により生成された前記画像を照らし、前記グラフィックディスプレイ装置が前記反射モードの場合、前記電気泳動層は不透明となって、前記反射層により反射された画像のみが、前記第１主要面で視認可能となる、ことを特徴とする。
【０００９】
さらに、本明細書の記載から、適用領域は明らかになる。この概要における記載および具体的な実施例は、例示のみを目的とし、本願開示の範囲を限定することを意図しない。
【図面の簡単な説明】
【００１０】
本明細書に記載される図面は、選択された実施形態の例示のみを目的とし、実行され得る全てを示すものではなく、本願開示の範囲を限定することを意図しない。
【図１】本願開示の第一原理における、透過モードでのグラフィックディスプレイ装置を示す。
【図２】本願開示の第一原理における、反射モードでのグラフィックディスプレイ装置を示す。
【図３】本願開示の第一原理における、透過モードと反射モードの間を移行中のグラフィックディスプレイ装置を示す。
【図４】図１に示されるグラフィックディスプレイ装置の分解斜視概略図である。
【図５】図１に示されるグラフィックディスプレイ装置の断面概略図である。
【図６】例示的なグラフィックディスプレイ装置の断面斜視図である。
【図７】本開示の第二原理におけるグラフィックディスプレイ装置の断面概略図である。
【図８】本開示の第三原理におけるグラフィックディスプレイ装置の断面概略図である。
【００１１】
いくつかの図では、同じ符号が、対応する箇所を示す。
【発明を実施するための形態】
【００１２】
添付の図面を参照して、より詳しく実施形態を説明する。
【００１３】
図１から図６を参照すると、本願開示のグラフィックディスプレイ装置１０が図示されている。図１および図２に最も良く示されるように、ディスプレイ装置１０は、第1モードすなわち透過モードで作動し（例えば、図１参照）、第２モードすなわち反射モードで作動する（例えば、図２参照）ミラー装置１２を備える。透過モード（図１）と反射モード（図２）の間の移行は、図３に図示される。ミラー装置１２の後ろに配置された画像（この場合は三角形）は、ミラー装置１２により部分的に透過され、ミラー装置１２の前に配置された画像（この場合五角形）は、ミラー装置１２により部分的に反射されている。
【００１４】
ミラー装置１２は、上記の通り、光を透過も反射もすることができる半透過ミラーである。すなわち、ミラー装置１２は、いわゆるハーフミラーである。図４および図５に最も良く示されるように、ミラー装置１２は、板状透明基板１４を備え、この基板１４は、ガラス、アクリル、またはポリカーボネート材料のような透明材料で形成されてもよい。尚、これら材料はほんの例示であって、本願開示はこれらに限定されないことを理解されたい。すなわち、本願開示の範囲から逸脱しなければ、他の透明基板材料を使用可能である。
【００１５】
ミラー装置１２の基板１４は、極薄くまばらな層の状態に塗布される反射塗膜を有する。この点に関し、基板１４を不透明ミラーにするのに必要な分子の約半分だけが塗布されるように、銀、アルミニウム、クロム等の反射材料で、基板１４をまばらに被覆する。分子レベルで、均一な膜状で基板１４に設けられる反射分子があり、基板１４の半分だけが覆われ、「ハーフミラー」を作る。基板１４の半分だけが反射材料で塗布されるので、基板１４は表面に当たる光の約半分を反射し、あと半分を通過させる。本願開示によれば、基板１４は、約６０％が透明で、約４０％が反射性であることが好ましい。しかしながら、本願開示の範囲から逸脱しなければ、他の割合（例えば、５０／５０、４０／６０）を使用してもよいことを理解されたい。
【００１６】
基板１４は、可視表面すなわち前面１６（反射材料が塗布された表面)と、非可視表面すなわち後面１８とを有する。本願開示の範囲から逸脱しなければ、上記反射塗膜を前面１６または後面１８に形成してもよい。さらに、後面１８は、着色層２０で塗膜されることが好ましい。着色層２０は、基板１４の後面１８に直接設けられてもよく、または、基板１４とは離間する別体の層として、グラフィックディスプレイ装置１０中に存在してもよい。
【００１７】
着色層２０は、約１０％から４０％の範囲で基板１４を暗くするように構成される。着色層２０は、基板１４を約２０％暗くするのが好ましい。例示される着色層２０は、紫外線および赤外線保護のために、住居用または商業用窓に適用されてもよい。あるいは、着色層２０が基板１４とは離間する別体である場合には、着色層２０は、グレーに着色された、厚さ３ｍｍの押出成形アクリルプレッキシガラス材料(ＭＣグレー２０６４)であってもよい。しかしながら、本願開示の範囲から逸脱しなければ、３ｍｍを超えるまたは３ｍｍ未満の厚さを有する他の着色層、および、２０％を超えるまたは未満に着色される他の着色層が使用されてもよい。
【００１８】
グラフィックディスプレイ装置１０は、散光層２２を備えてもよい。散光層２２は、ポリエステルのような材料から形成されてもよく、なんらかの形で光を拡散・散乱するように構成され、柔らかい光を提供し、ホットスポットを防ぐ。例示的な散光層は、イーストマンコダック社（Ｅａｓｔｍａｎ  Ｋｏｄａｋ）から入手できるデュラトラン（Ｄｕｒａｔｒａｎｓ）散光器である。散光層２２は画像２４を備える。画像２４は、散光層２２の後面２６（すなわち、着色層２０とは反対側の散光層２２の面）に配置される。画像２４は、ミラー装置１２が透過モードで作動中に視認され（図１）、ミラー装置１２が反射モードで作動中には視認されない（図２）。画像２４は、散光層２２の後面２６に配置されるので、ミラー装置１２の透過モードで表示されるはずの任意の文書または記号を反転させる（例えば、文書または記号のミラー画像を用いる）必要があるかもしれない。インクジェット印刷法、または、他の種類の印刷法を含む当業者に公知の任意の方法で、画像２４を散光層２２に設けてもよい。
【００１９】
グラフィックディスプレイ装置１０が透過モードである場合に画像２４を照らすために、グラフィックディスプレイ装置１０は光源２８を備える。光源２８は、当業者に公知の任意の種類の光源であってよい。光源２８の例示としては、発光ダイオード（ＬＥＤｓ）、エレクトロルミネッセントパネル（ＥＬＰｓ）、冷陰極蛍光管（ＣＣＦＬｓ）、熱陰極蛍光管（ＨＣＦＬｓ）、外部蛍光管（ＥＥＦＬｓ）、および白熱電球が挙げられる。光源２８は、ライトガイド（図示なし）と共に使用されてもよいし、またはライトガイドなしで使用されてもよい。上記の通り、グラフィックディスプレイ装置１０が透過モードで使用される場合に光源２８が使用され、反射モードでは使用されない。
【００２０】
図５および図６に最も良く図示されるように、グラフィックディスプレイ装置１０は、基板１４、着色層２０、画像２４を備えた散光層２２、および光源２８を収容するフレームまたはハウジング３０を備えてもよい。図６に最も良く図示されるように、ハウジング３０は、剛性をハウジング３０に与える複数の構造部材３３を備えてもよく、また、基板１４（スロット３５で）、着色層２０（スロット３７で）、画像２４を備えた散光層２２（スロット３９で）、および光源２８（スロット４１で）を収容し支持するための複数のスロット３５、３７、３９および４１を規定してもよい。このようにして、グラフィックディスプレイ装置１０の各種構成要素は、適宜容易に取り外し、修理可能である。さらに、このような構造により、異なる画像２４を必要に応じて使用することができる。図６には図示されないが、ハウジング３０の空洞４３に、ディスプレイ装置１０の各種電子機器を収容可能である。
【００２１】
例えば、ハウジング３０は、基板１４の前面１６近傍の動きまたは周囲の光の変化を検出するセンサー装置３２を備えてもよい。さらに、制御装置３４は、センサー装置３２および光源２８と通信してもよい。透過表示中に、動きまたは周囲の光の変化がセンサー装置３２により検出され、制御装置３４に伝達されると、制御装置３４は、グラフィックディスプレイ装置１０が透過表示から反射表示へ移行するように、光源２８を消すよう指示してもよい。
【００２２】
例えば、グラフィックディスプレイ装置１０が透過モード（図１）であり、センサー装置３２が基板１４の前面１６近傍の位置での動きを検出すると、グラフィックディスプレイ装置１０は反射モードに移行してもよい。このような構造は、例えば、衣料品店で有用であり、透過モードを広告目的で使用し、反射モードを顧客が購買意欲を持った衣服を試着する際に、顧客自身を見ることができるように使用可能である。この点に関し、顧客の動きはセンサー装置３２により検出され、その後、制御装置３４は、グラフィックディスプレイ装置１０が反射モードに移行するように、光源２８を消すよう指示する。
【００２３】
制御装置３４を用いて、透過モードと反射モードとの相互間の移行に必要な時間量を制御してもよい。この点に関し、透過モードと反射モードとの間の移行は、即時（すなわち、１秒未満）可能であるか、または、もっとゆっくり（すなわち、３秒から１０秒の範囲で）行ってもよい。しかしながら、他の移行間隔も予期される。
【００２４】
本願開示によれば、グラフィックディスプレイ装置１０は、着色層２０を備え、画像２４は、散光層２２と光源２８の間に配置される。このような構成により、画像２４は、反射モード中、より容易に隠される。すなわち、画像２４と基板１４の間に着色層２０および散光層２２が使用されるので、グラフィックディスプレイ装置１０が反射モードである場合は、画像２４を暗くし、その結果、画像２４を視認できない。さらに、このような構造では、透過モード中に、光源２８で画像２４を照らしている間、画像を著しく暗くしない。
【００２５】
図７を参照して、本願開示の第二実施形態を説明する。図７は、上記と同一の反射塗膜を有する基板１４を備えるグラフィックディスプレイ装置１０ａを図示する。すなわち、基板１４は、基板１４の後ろに配置された光源２８からの光を基板１４が透過し、前面１６に入射する光を反射できるように、極薄くまばらな層の状態に塗布される反射塗膜を有する、いわゆるハーフミラーである。着色層２０および散光層２２に代えて、グラフィックディスプレイ装置１０ａは、導電性部材３６を備える。導電性部材３６は、基板１４の後面１８に塗布されてもよく、または、基板１４とは離間する別体であってもよい。いずれにしても、導電性部材３６は、電源３７により電流または電圧が印加されると、透明または不透明のいずれかになるように構成される。すなわち、導電性部材３６は、電源３７により電流または電圧が印加されると、透明モードと不透明モードの間で切り替え可能である。このように、グラフィックディスプレイ装置１０ａが透過モードで作動する際、導電性部材３６が不透明である場合は、電流または電圧が導電性部材３６に印加され、導電性部材を透明モードに切り替える。グラフィックディスプレイ装置１０ａが反射モードで作動する際には、電流または電圧が導電性部材３６に再び印加され、導電性部材を不透明モードに切り替え可能である。
尚、重要なことは、透明モードまたは不透明モードのいずれかを維持するために、電流または電圧を持続的に導電性部材３６に印加する必要はないということである。むしろ、電流または電圧を印加することにより、導電性部材３６を一方のモードから他方のモードへと切り替える。例示的な導電性部材３６は、スマートティント(R)から入手可能である。
【００２６】
画像２４は、導電性部材３６の、基板１４とは反対側に配置されてもよい。画像２４は、インクジェット印刷法、または、他の種類の印刷法を含む当業者に公知の任意の方法で、導電性部材２４に設けられてもよい。最後に、グラフィックディスプレイ装置１０ａは、光源２８、ハウジング３０、センサー装置３２、および制御装置３４を備え、制御装置３４は、センサー装置３２および光源２８に加えて、電源３７を介して導電性部材３６と通信する。
【００２７】
グラフィックディスプレイ装置１０ａを透過モードで作動させるために、制御装置３４は光源２８に照光するように指示し、電流が電源３７により導電性部材３６に印加されるように指示する。導電性部材３６に電流が印加されるので、導電性部材３６は透明である。このように、照らされた画像２４は、導電性部材３６および基板１４を透過し、基板１４の前面１６で視認される。
【００２８】
グラフィックディスプレイ装置１０ａを反射モードで作動させるために、制御装置３４は光源２８を消すよう指示し、電流を導電性部材３６に印加しないよう指示する。導電性部材３６に電流が印加されないので、導電性部材３６は不透明であり、反射モード中、画像２４が見えないように隠す。
【００２９】
図８を参照して、本願開示の第三実施形態を説明する。図８は、上記と同一の反射塗膜を有する基板１４を備えるグラフィックディスプレイ装置１０ｂを図示する。すなわち、基板１４は、基板１４の後ろに配置された光源２８からの光を基板１４が透過し、前面１６に入射する光を反射できるように、極薄くまばらな層の状態に塗布される反射塗膜を有する、いわゆるハーフミラーである。着色層２０および散光層２２に代えて、または、導電性部材３６に代えて、グラフィックディスプレイ装置１０ｂは、電気泳動層３８を備える。電気泳動層３８は、基板１４の後面１８に積層されてもよく、または、基板１４とは離間する別体であってもよい。いずれにしろ、電気泳動層３８は、電圧印加時に画像を表示し、電圧が印加されない場合は不透明になるように構成される。例示的な電気泳動層３８は、イーインクコーポレーション（Ｅ  Ｉｎｋ  Ｃｏｒｐｏｒａｔｉｏｎ）から入手可能である。電気泳動層３８の後ろに光源２８があってもよい。
【００３０】
電気泳動層３８は、複数のマイクロカプセル４０を備えてもよく、各マイクロカプセル４０は、複数の負荷電粒子４２および正荷電粒子４４を備える。複数のマイクロカプセル４０は、一対の電極４６および４８の間に配置され、電圧が印加されると、荷電粒子４２および４４を引きつける、または、退ける。このようにして、電気泳動層３８を用いて、画像を表示するか、または、不透明とすることができる。この点に関し、粒子は、白色粒子４２か着色粒子４４かのいずれかであり、白色粒子４２は層３８を不透明とし、着色粒子４４は画像を表示するのに使用される。いずれにしろ、グラフィックディスプレイ装置１０ｂの透過モードでは、電気泳動層３８により表示される画像は、光源２８に照らされ、基板１４を透過してもよい。一方、グラフィックディスプレイ装置１０ｂの反射モードでは、電気泳動層３８は不透明として、基板１４が入射光を反射するのみとしてもよい。
【００３１】
グラフィックディスプレイ装置１０ｂは、センサー装置３２および制御装置３４も備えてよく、制御装置３４はセンサー装置３２、光源２８および電気泳動層３８と通信する。透過モードでは、制御装置３４は、電源３７から電極４６および４８に適切な電圧を印加し着色粒子４４を基板１４側に引きつけることを指示することにより、画像を表示するように電気泳動層３８に指示してもよい。さらに、制御装置３４は、電気泳動層３８により生成された画像を照らすよう光源２８に指示してもよい。反射モードでは、制御装置３４は、電源３７から電極４６および４８に適切な電圧を印加し、白色粒子４２を基板側に引きつけることを指示することにより、不透明となるよう電気泳動層３８に指示してもよい。さらに、制御装置３４は、光源２８を消すよう指示する。電気泳動層３８は不透明となるので、基板１４は入射光を反射するのみである。
【００３２】
最後に、ハウジング３０は、基板１４を備える前部と、少なくとも光源２８および画像２４を備える後部の二部構成であってもよいことを理解されたい。この場合、ハウジング３０の前部は、後部に対してドアのように開くように、後部に蝶番で連結される。このような構成では、グラフィックディスプレイ装置１０、１０ａおよび１０ｂの使用中、異なる画像２４が定期的に使用されてもよいように、画像２４を取り外し可能としてもよい。
【００３３】
実施形態の上記記述は、例示および説明の目的で提示された。包括的であることまたは開示事項に限定されることを意図しない。特定の実施形態の個々の構成要素または特徴は、一般に、この特定の実施形態に限定されるものではなく、適用可能ならば交換可能であり、たとえ具体的に図示または記載されていなくても、選択された実施形態で使用可能である。同様に、構成要素または特徴は、さまざまに変形されてもよい。このような変形は、本願開示からの逸脱とはみなされるべきではなく、全ての変形は、本願開示の範囲内に包含されることが意図される。
【図１】
2019512744.tif 000003
【図２】
2019512744.tif 000004
【図３】
2019512744.tif 000005
【図４】
2019512744.tif 000006
【図５】
2019512744.tif 000007
【図６】
2019512744.tif 000008
【図７】
2019512744.tif 000009
【図８】
2019512744.tif 000010
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
グラフィックディスプレイ装置であって、
第１主要面および反対側の第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記第２主要面に位置する着色層と、
前記基板との間で前記着色層を挟持するように、前記着色層に接して位置する、画像を備えた散光層と、
前記散光層との間で前記画像を挟持するように、前記散光層近傍に配置される光源とを備えるグラフィックディスプレイ装置であって、
前記透過モードでは、前記基板の前記第１主要面から前記画像を視認可能であるように、前記光源は前記画像を照らし、
前記反射モードでは、前記画像は前記光源に照らされず、前記基板の前記第１主要面から前記画像を視認不可能とすることを特徴とするグラフィックディスプレイ装置。
【請求項２】
請求項１に記載のグラフィックディスプレイ装置において、
前記着色層は、前記グラフィックディスプレイ装置が前記反射モードの場合は、前記画像を視認不可能とすることを特徴とするグラフィックディスプレイ装置。
【請求項３】
請求項２に記載のグラフィックディスプレイ装置において、
前記着色層は、前記基板を約２０パーセント暗くすることを特徴とするグラフィックディスプレイ装置。
【請求項４】
グラフィックディスプレイ装置であって、
第１主要面および反対側の第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記基板の前記第２主要面に位置し、前記グラフィックディスプレイ装置が前記透過モードの場合は透明であり、前記グラフィックディスプレイ装置が前記反射モードの場合は不透明である導電性部材と、
前記基板との間で前記導電性部材を挟持するように、前記導電性部材上に配置される画像と、
前記画像近傍に配置され、前記透過モードにおいて前記画像を照らす光源と、
少なくとも前記導電性部材に電圧を印加する電源とを備えるグラフィックディスプレイ装置であって、
前記透過モードにおいて、前記基板の前記第１主要面から前記画像が視認可能であるように、前記光源は前記画像を照らし、前記電源は前記導電性部材に電圧を印加して、前記導電性部材を透明にし、
前記反射モードにおいて、前記導電性部材が不透明となり、かつ、前記基板の前記第１主要面から前記画像を視認不可能であるように、前記電源は前記導電性部材に電圧を印加することを特徴とするグラフィックディスプレイ装置。
【請求項５】
グラフィックディスプレイ装置であって、
第１主要面および反対側の第２主要面を有し、前記グラフィックディスプレイ装置が透過モードの場合に光を透過し、前記グラフィックディスプレイ装置が反射モードの場合に光を反射する基板と、
前記基板の前記第１主要面に位置する反射層と、
前記基板の前記第２主要面に位置する電気泳動層であって、前記グラフィックディスプレイ装置が前記透過モードの場合は画像を表示可能にし、かつ、前記グラフィックディスプレイ装置が前記反射モードの場合は前記電気泳動層を不透明とする複数の粒子を含む電気泳動層と、
前記電気泳動層近傍に配置され、前記グラフィックディスプレイ装置が前記透過モードの場合は前記画像を照らす光源とを備えるグラフィックディスプレイ装置であって、
前記グラフィックディスプレイ装置が前記透過モードの場合、前記光源は、前記電気泳動層により生成された前記画像を照らし、
前記グラフィックディスプレイ装置が前記反射モードの場合、前記電気泳動層は不透明となって、前記反射層により反射された画像のみが、前記第１主要面で視認可能となることを特徴とするグラフィックディスプレイ装置。
【請求項６】
請求項１、請求項４、または請求項５に記載のグラフィックディスプレイ装置において、
前記基板近傍の状況を検出するセンサー装置をさらに備えることを特徴とするグラフィックディスプレイ装置。
【請求項７】
請求項６に記載のグラフィックディスプレイ装置において、
前記状況は、前記基板近傍の動きであり、前記動きを検出すると、前記グラフィックディスプレイ装置は、前記透過モードから前記反射モードへ切り替えられることを特徴とするグラフィックディスプレイ装置。
【請求項８】
請求項１、請求項４、または請求項５に記載のグラフィックディスプレイ装置において、
前記光源は、発光ダイオード（ＬＥＤ）、エレクトロルミネッセントパネル（ＥＬＰ）、冷陰極蛍光管（ＣＣＦＬ）、熱陰極蛍光管（ＨＣＦＬ）、外部蛍光管（ＥＥＦＬ）、および白熱電球のいずれかであることを特徴とするグラフィックディスプレイ装置。
【請求項９】
請求項１、請求項４、または請求項５に記載のグラフィックディスプレイ装置において、
前記基板は、ガラス、アクリルおよびポリカーボネートのいずれかで形成されることを特徴とするグラフィックディスプレイ装置。
【請求項１０】
請求項５に記載のグラフィックディスプレイ装置において、
前記複数の粒子が、複数のマイクロカプセル中に存在することを特徴とするグラフィックディスプレイ装置。
【請求項１１】
請求項５に記載のグラフィックディスプレイ装置において、
前記電気泳動層は、一対の電極を備え、前記電極は、電圧が印加されると、前記複数の粒子を引きつける、または、退けることを特徴とするグラフィックディスプレイ装置。
【請求項１２】
請求項１１に記載のグラフィックディスプレイ装置において、
前記複数の粒子が、白色粒子および着色粒子を含むことを特徴とするグラフィックディスプレイ装置。
【手続補正２】
【補正対象書類名】明細書
【補正対象項目名】００２６
【補正方法】変更
【補正の内容】
【００２６】
画像２４は、導電性部材３６の、基板１４とは反対側に配置されてもよい。画像２４は、インクジェット印刷法、または、他の種類の印刷法を含む当業者に公知の任意の方法で、導電性部材３６に設けられてもよい。最後に、グラフィックディスプレイ装置１０ａは、光源２８、ハウジング３０、センサー装置３２、および制御装置３４を備え、制御装置３４は、センサー装置３２および光源２８に加えて、電源３７を介して導電性部材３６と通信する。
【国際調査報告】
2019512744.tif 000011
2019512744.tif 000012